(57)【要約】 【課題】    地上だけで無く樹上をも生活圏とする動物に警戒心を起こさせず、猿や鴉の捕獲に好適な動物捕獲檻を提供することを目的とする。【解決手段】  上面に開口部を有する角筒形の檻本体と、該檻本体の上面に前記開口部に近設され、且つ前記上面に対して平行にスライド移動して前記開口部を塞ぐように付勢されたスライド扉を備えた捕獲檻において、前記檻本体の上面及び下面により回動可能に軸支された縦軸と、該縦軸に取設され、檻本体内に入ってきた動物により水平方向に回動させられる回転ドアと、該回転ドアよりも上側で、前記縦軸を支点として回動可能に設けられた旋回腕と、上記旋回腕の一端に直接又は間接的に当接し且つ前記スライド扉の先端部分に係止することにより、上記スライド扉がスライド移動して上面の開口部を塞ぐのを防止する押止部材と、前記上面の開口部縁端に設けられ、上記押止部材を垂直方向に回動可能に蝶着する蝶着部材と、から構成する。【選択図】  図１
2007049904.tif 000002
【特許請求の範囲】
【請求項１】
上面に開口部を有する角筒形の檻本体と、該檻本体の上面に前記開口部に近設され、且つ前記上面に対して平行にスライド移動して前記開口部を塞ぐように付勢されたスライド扉を備えた捕獲檻において、
前記檻本体の上面及び下面により回動可能に軸支された縦軸と、
該縦軸に取設され、檻本体内に入ってきた動物により水平方向に回動させられる回転ドアと、
該回転ドアよりも上側で、前記縦軸を支点として回動可能に設けられた旋回腕と、
上記旋回腕の一端に直接又は間接的に当接し且つ前記スライド扉の先端部分に係止することにより、上記スライド扉がスライド移動して上面の開口部を塞ぐのを防止する押止部材と、
前記上面の開口部縁端に設けられ、上記押止部材を垂直方向に回動可能に蝶着する蝶着部材と、
から構成されることを特徴とする、動物捕獲檻。
【請求項２】
前記檻本体の側面に開口部を有し、該開口部の上に垂直な状態で支持され、垂直に降下して上記側面の開口部を塞ぐシャッタを備えており、
一端が前記押止部材と対向する側の旋回腕の端部に連結されるとともに、檻本体の外に他端を位置させ、前記シャッタを側面の開口部の上に垂直に立った状態に停めておくストッパ腕と、
から更に構成されることを特徴とする、請求項１に記載の動物捕獲檻。
【発明の詳細な説明】
【技術分野】
【０００１】
この発明は、地上だけで無く樹上をも生活圏とする動物、特に猿や鴉を捕獲するのに好適な動物捕獲檻に関する。
【背景技術】
【０００２】
捕獲用檻として、前後の各端部に開口部を有し、地上に設置される角筒形の檻本体と、上記檻本体の前後の開口部の上に垂直に立って支持され、垂直に降下して前後の開口部を同時に塞ぐ前後一対のシャッタを備えたものは従来から公知である。これら従来の捕獲用檻の多くは、前後の開口部から檻の中に踏み込んだ動物の重量で檻の底板が下向きに動き、これに連動して、前後の開口部の上で垂直に立っているシャッタの降下を阻止していたストッパが外れ、シャッタが降下して前後の開口部を同時に塞ぎ、檻本体の内部に動物を捕獲するようになっている。
【０００３】
従って、捕獲できるのは檻の底板を下向きに動かすことができる重量を有する猪、熊等の大形の獣であり、比較的小型な害獣、例えば猿や鴉は軽量であるため、このような従来の捕獲用檻では捕獲し難い。又、底板は下向きに動けるよう地面から上にバネなどで浮かせておく必要があるので、獣道などに仕掛けても動物が警戒し、檻の中に容易く入ろうとしない。又、バネなどで浮かされた底板を地面と同じ平面にするには、仕掛ける際に地面を掘り下げ、掘り下げた内部に設置しなければならないので動物が警戒すると共に、地面を掘り下げるのに手数がかゝる。
【０００４】
特開２００３−２２５０４４には、獣類の進入口を備えた檻と、垂直落下して進入口を閉鎖する扉と、檻内に備えられて進入した獣類との接触によって傾動する傾動部と、傾動部に係合して他端が扉に伸長し、扉を垂直落下可能に掛止するリンクとを有した獣類の捕獲装置が開示されている。この発明の捕獲装置によれば、構造が簡易であり、頑丈な檻を使用することができるので、捕獲した獣類が内部で暴れることがあっても、確実に獣類を捕獲できることが説明されている。
【０００５】
【特許文献１】特開２００３−２２５０４４
【発明の開示】
【発明が解決しようとする課題】
【０００６】
上記従来の発明によれば、垂直落下して進入口の閉鎖を行なう扉が用いられる構成上、入口は必然的に地上に水平な方向に向くことになる。上記従来の発明は、熊や猪に限らず、他の獣類をも捕獲することも可能であるが、猿やハクビシンのように木に登ることができる動物や、鴉のように樹上に棲息する動物は、活動範囲が陸上に限定されない。このように、上記従来の発明の構造は、樹上をも生活圏とする動物の習性には十分に対応していないため、動物の捕獲効率を低下させてしまう不都合を有している。また、猿や鴉は他の動物に比べて知能が高いため、これらの動物にとって容易に入れる構造のものが望まれる。
【０００７】
本願発明は上記の従来技術における問題点を克服し、地上だけで無く樹上をも生活圏とする動物に警戒心を起こさせず、猿や鴉の捕獲に好適な動物捕獲檻を提供することを目的とする。
【課題を解決するための手段】
【０００８】
本発明は、上述した問題点を解消するために開発されたもので、請求項１に記載の発明は、上面に開口部を有する角筒形の檻本体と、該檻本体の上面に前記開口部に近設され、且つ前記上面に対して平行にスライド移動して前記開口部を塞ぐように付勢されたスライド扉を備えた捕獲檻において、前記檻本体の上面及び下面により回動可能に軸支された縦軸と、該縦軸に取設され、檻本体内に入ってきた動物により水平方向に回動させられる回転ドアと、該回転ドアよりも上側で、前記縦軸を支点として回動可能に設けられた旋回腕と、上記旋回腕の一端に直接又は間接的に当接し且つ前記スライド扉の先端部分に係止することにより、上記スライド扉がスライド移動して上面の開口部を塞ぐのを防止する押止部材と、前記上面の開口部縁端に設けられ、上記押止部材を垂直方向に回動可能に蝶着する蝶着部材と、から構成されることを特徴とする。
【０００９】
請求項２に記載の発明は、前記檻本体の側面に開口部を有し、該開口部の上に垂直な状態で支持され、垂直に降下して上記側面の開口部を塞ぐシャッタを備えており、一端が前記押止部材と対向する側の旋回腕の端部に連結されるとともに、檻本体の外に他端を位置させ、前記シャッタを側面の開口部の上に垂直に立った状態に停めておくストッパ腕と、から更に構成されることを特徴とする。
【発明の効果】
【００１０】
本発明の動物捕獲檻は檻本体の上面に開口部を設けた構造を有しており、猿やハクビシン、鴉等のように樹上をも生活圏とする動物が警戒心を起こさずに安心して檻中に入るので、これらの動物に対する捕獲効率を高めることができる。
【００１１】
また、本発明の動物捕獲檻によれば、押止部材を介して旋回腕の押圧力がスライド扉の先端部分に作用し、該スライド扉の開扉状態が維持される。そのため、動物捕獲檻の組付精度が変動した場合であっても、上記押止部材を適切に調整することにより、本発明の目的が達成できる。
【００１２】
請求項２に記載の動物捕獲檻によれば、檻本体の側面にも開口部を有するため檻外から内部を確認しやすく、動物を檻中に誘導するのが容易になる。また、側面の開口部を塞ぐシャッタは、上記スライド扉が檻本体の上面の開口部を塞ぐのと連動させるように構成することができるので、檻中に進入した動物を確実に捕獲することができる。
【発明を実施するための最良の形態】
【００１３】
［第１実施形態］
以下、図面を参照しつつ、本発明の第１実施形態について説明する。
図１に示す第１の実施形態において、檻本体１０は背面を開口させるとともに、上壁１７の前側に開口部６０を設けた略角筒形状であり、開口した背面に対向する前壁１８と、左右の側壁１９、１９及び底壁１６からなる。上記各壁は太い金属角材、例えばアングル材からなる外枠１１と、該外枠１１の内部に縦横に溶接などで固定されて四角な網目を構成する縦横の細い金属角材の格子１２とからなり、不使用時は分解してスペースをとらずに格納し、使用する際は外枠同志をビスで角筒形に組立てることができるようにしておくことが好ましい。
【００１４】
本発明は猿、鴉のような動物を捕獲することを目的とするので、檻本体はそれ相応のサイズにする必要がある。又、縦横の格子により形成された四角い網目は一辺が８ｃｍ程度の正方形に構成して、雀などの小鳥や、鼠などの小動物は網目を通って檻の内外に自由に出入りできるようにしておくことが好ましい。
【００１５】
第１実施形態の動物捕獲檻は、図１及び図３に示されるように、檻本体１０において、スライド扉６５が左右のレール部材６１、６１上に取り付けられており、前記スライド扉６５は、開口部６０の開口時に、水平にスライド移動して該開口部６０を塞ぐ方向に付勢されている。
【００１６】
すなわち、まず、図１及び図３に示されるように、檻本体１０の上壁１７において、左右の側壁１９、１９に沿ってレール部材６１がそれぞれ１本ずつ設けられている。左右のレール部材６１、６１は、上壁１７に対して同じ高さで平行になるように、左右の前方エンドストッパ６４ａ、６４ａ及び後方エンドストッパ６４ｂ、６４ｂにそれぞれ架設されている。
【００１７】
そして、図１に示すように、スライド扉６５の前後端には軸承部材６５ａ、６５ｂがそれぞれ設けられており、軸承部材６５ａ、６５ｂには、レール部材６１を摺動可能に挿通するための摺動穴６５ｃが左右両側に形成されている。また、スライド扉６５の後端の軸承部材６５ｂと、上壁１７の後方エンドストッパ６４ｂの間に圧縮ばね６３が介装されており、左右の圧縮ばね６３が後端の軸承部材６５ｂを押圧する。従って、図１及び図３に示されるように、前記スライド扉６５は該開口部６０を塞ぐ方向に付勢されているが、押止部材５０に係止されており、開口部６０が開いた状態に維持される。尚、本発明の第１実施形態において、閉じ方向に付勢する手段としてばね部材が使用されているが、ばね部材以外に、或いはばね部材と併用して、レール部材６１、６１を開口部６０に塞ぐ方向に傾斜させた構成にすることもできる。
【００１８】
一方、第１実施形態の動物捕獲檻は、図１及び図２に示されるように檻本体１０の背面が開口されており、該開口の上には、垂直に降下して該開口を塞ぐシャッタ１３が垂直な状態で支持されている。上記檻本体１０の背面の開口の左右、つまり左右の側壁１９、１９の後端にシャッタ１３が垂直に降下して開口を閉じるのを相対向してガイドするガイド部材１４，１４を設けておく。又、この各ガイド部材１４，１４の延長上には、各開口の上で垂直に立つ前後のシャッタを垂直に降下可能に支持する上部ガイド部材１５，１５を設ける。
【００１９】
上記シャッタ１３も太い金属角材からなる外枠と、外枠の内部に溶接されて正方形の網目を形成する細い金属角材による縦横の格子材とで構成すればよく、このシャッタ１３を垂直に動くのを支持するガイド部材１４，１５は一連の金属チャンネル材（溝形材）で、檻本体の左右の側壁の前後の各端部にビスで取外し可能に取付け、不使用時には外せるようにしておく。
【００２０】
上記スライド扉６５及びシャッタ１３は、檻本体１０の内側に設けられた旋回腕３１が回動されることによって、開口部６０及び背面の開口を閉鎖するように構成される。以下、檻本体１０の内側の構造と、スライド扉６５及びシャッタ１３との動作関係について具体的に説明する。
【００２１】
檻本体の底壁１６と上壁１７の中心間には回転ドア２０の縦軸２１を回転自在に取付ける。縦軸２１の下端部は底壁１６の中心に溶接などで固定した上向きの盲筒２２に入れ、必要ならばベアリングで支え、上端部は上壁１７の中心に溶接などで軸方向を垂直に固定した支持筒２３に貫通して支持し、支持筒から上に突出させる。尚、該支持筒２３から突出する縦軸２１の先端部分は、スライド扉６５と接触しない程度の長さに調整される。
【００２２】
第１実施形態の動物捕獲檻では、動物が押して回す回転ドア２０は、縦軸２１の所定高さ位置に二本の横桟２５、２６を横設した格子２４の形状に構成されており、横桟２６と底壁１６との間に鼠などの小動物が潜れる間隔を保つようにしてある。雀などの小鳥は、横桟間の格子、及び横桟２７と底壁との間隔を飛んで通り抜けることができる。縦軸２１や、横桟２５、２６は金属の丸棒材等でよい。尚、回転ドア２０は縦軸２１に、檻の幅よりも長さが短い一本又は複数本の横桟を直交した十字形やキ字形に取付けて格子２４を形成してもよい。
【００２３】
縦軸２１には、該縦軸２１を支点に回動する旋回腕３１の中心を取付ける。このため旋回腕３１の中心孔には軸受筒３２を固定し、該中心孔及び軸受筒３２から縦軸２１が貫通するようにする。
【００２４】
また、図３及び図４に示されるように、縦軸２１側の開口部６０の縁端において、檻本体１０の上壁１７の中心線上の位置に蝶着部材５１が蝶着されており、該蝶着部材５１には押止部材５０が設けられている。このような構成によって、押止部材５０は、縦軸２１側の開口部６０の縁端近傍を中心として垂直方向に回動することができる。
【００２５】
また、スライド扉６５の開扉状態において、押止部材５０及び蝶着部材５１の上下方向の長さは、両部材を組み合わせた状態において、下側が旋回腕３１の端部に当接し、且つ上側がスライド扉６５の先端部分に係止する程度に形成される。従って、図４及び図６に示されるように、旋回腕３１の端部が前記押止部材５０及び蝶着部材５１を介して圧縮ばね６３による付勢力を押止し、スライド扉６５の開扉状態が維持される。このように、スライド扉６５の開扉時に、押止部材５０は蝶着部材５１を介してその下側で力点として旋回腕３１の一端に当接し、その上側で作用点として前記スライド扉６５の先端部分に係止する。蝶着部材５１は押止部材５０の支点として、該押止部材５０を回動可能な状態に構成している。
【００２６】
押止部材５０は、スライド扉６５の開扉状態において、旋回腕３１の端部及びスライド扉６５の先端部分を確実に当接又は係止できるように構成することが好ましい。従って、旋回腕３１は回転ドア２０よりも上側に設けられることは必須であるが、上壁１７と旋回腕３１間のクリアランス及び上壁１７とスライド扉６５間のクリアランスが、いずれもなるべく少なくなるように軸受筒３２及びスライド扉６５を上壁１７に可能な限り近設することが好ましい。
【００２７】
旋回腕３１は、図３及び図４に示されるように、その一端部で蝶着部材５１を介して押止部材５０に当接する一方、該押止部材５０に当接する側と反対側の他端部でストッパ腕３３の一端部と連結されている。そして、ストッパ腕３３の他端部は檻本体１０の背面の開口から該檻本体１０外に突出するように設けられる。そのため、上部ガイド部材１５，１５で支持されたシャッタ１３は、その下端がストッパ腕３３の突出部分で受止められるので、該シャッタ１３が垂直に降下するのが停められる。
【００２８】
第１実施形態の動物捕獲檻では、ストッパ腕３３は旋回腕３１の上記他端部に一端が枢着された第１腕３４と、該第１腕の他端に一端が枢着された第２腕３５と、第２腕の他端部に延長状に設けられてシャッタの下端を受止める丸棒、例えばステンレス丸棒を有するストッパ３６とで構成してある。そして、第１腕又は第２腕は入れ子式に長さを長短に調節可能な構成にしてもよい。
【００２９】
檻本体１０の上壁１７の後端縁１７ａの中央には、図２及び図４に示すように、上記ストッパ３６の丸棒３６ａを受止める溝車を回転且つ旋回可能に支持したキャスタ３７が下向きに取り付けられ、各シャッタの下端面中央には上記丸棒３６ａに載る案内溝付き車輪３８が取付けてある。
【００３０】
第１実施形態の動物捕獲檻では、回転ドアの縦軸２１と旋回腕３１とを着脱可能にするため着脱手段４０を設けてなり、該着脱手段４０として図４、図５に示すように旋回腕３１の中心に固定された軸受筒３２と、該軸受筒３２が被さった縦軸２１とを直径方向に貫通する貫通孔４１を設け、この貫通孔４１にピン４２を挿通するようにしてある。上記ピン４２を貫通孔４１に挿通したときは、旋回腕３１は前後方向に向くのに対し、回転ドア２０の縦軸２１、横桟２５、２６からなる格子２４は檻本体の内部を前後に二分する横方向に向き、旋回腕と回転ドアとは直交する。
【００３１】
獣道などに仕掛けるには、檻本体１０を地上に置き、上述したようにピン４２を軸受筒３２と縦軸２１とに空けた直径方向の貫通孔４１に挿通して旋回腕３１を前後方向に向ける。次いで、図４及び図６に示すように、蝶着部材５１を介して、旋回腕３１の先端部を押止部材５０の下側に当接させるとともに、該押止部材５０の上側でスライド扉６５の先端部分を係止させる。
【００３２】
また、旋回腕３１を前後方向に向けることにより、図３及び図６に示すように、檻本体１０の背面において、旋回腕３１の端部に一端部を連結したストッパー腕３３の他端部、すなわちステンレス丸棒３６ａが、キャスタ３７の溝車に載って上壁１７の後端縁１７ａの中央の下側から檻本体１０の外方に突出する。次いで、上部ガイド部材１５，１５で垂直に降下可能に支持された後のシャッタ１３の下端中央の案内溝付き車輪３８を丸棒３６ａの上に載せ、シャッタ１３の降下を停める。このように檻本体１０の開口部６０及び背面を開いた状態にした後、檻本体１０の中には捕獲対象の動物が好む餌を入れる。
【００３３】
檻本体の下壁は地面と接触して居り、且つその側壁の格子や、背面の開口から鼠などの小動物や、小鳥が自由に中に入って餌を食べるので、捕獲対象の動物、例えば猿は、警戒することなく開口部６０又は背面の開口から檻本体１０の中に入る。そして、餌を食べている間に回転ドア２０の格子２４に触れると、回転ドアは縦軸２１と一体に回動し、これに伴って旋回腕３１も回動する。前後方向に向いていた旋回腕３１が回動すると、図３及び図６に示したように、旋回腕３１の先端部が押止部材５０から離れるので、スライド扉６５の先端部分は、旋回腕３１による押圧力から解放される。この時、圧縮ばね６３の付勢力により、スライド扉６５は押止部材５０を前側に押し倒してレール部材６１に沿って摺動し、上壁１７に形成された上面の開口部６０を塞ぐまでスライド移動する。
【００３４】
また、前後方向に向いていた旋回腕３１が回動すると、図３に示したようにストッパ腕３３は斜めに引かれる。丸棒３６ａを溝車上に載せたキャスタ３７は、ストッパ３３の第２腕３５と同じ向きになるように旋回し、丸棒３６ａが檻本体１０の内側に引込まれるので、檻本体１０の背面の開口からの丸棒３６ａの突出量は少なくなる。尚、丸棒３６ａは、キャスタ３７の溝車に載り、該キャスタ３７よりも先端側では、シャッタ１３に設けられた車輪３８の案内溝に案内されているので、ストッパ３６は軽快に動く。そして、旋回腕３１が更に回動し、丸棒３６ａがシャッタ１３の下端と接触しなくなるまで内側に引込むと、上部ガイド部材１５，１５で垂直に降下可能に支持されていたシャッタ１３は自重でガイド部材１４，１４沿いに降下して背面の開口を閉じる。
【００３５】
このように、スライド扉６５及びシャッタ１３は、檻本体１０の内側に設けられた旋回腕３１が回動されることによって開口部６０及び背面の開口を閉鎖し、檻本体１０の内部に捕獲対象の動物を生け捕りにする。
【００３６】
又、鴉の場合は一度に多数捕獲するため、ピン４２を貫通孔４１に挿通しないでおき、檻本体１０の中に多数の鴉が入って餌をついばむのを待つ。その間、檻本体１０の中に入って飛び回り、回転ドアの格子２４に頭を突入し、翼が格子２４に引掛かって格子２４を通り抜けることができない鴉によって回転ドアは縦軸を中心に空回りする。こうして、多数の鴉が檻本体１０の中に入ったら縦軸２１で回転ドアを回し、貫通孔４１を一直線に揃えてピン４２を挿通する。
【００３７】
その後、鴉が檻本体の中で飛び回り、これによって回転ドアが回転し、これに伴って旋回腕３１が水平方向に回動されると、図３及び図６に示すように、スライド扉６５は、旋回腕３１による押圧力から解放され、圧縮ばね６３の付勢力でスライド移動して上面の開口部６０を塞ぐ。また、上記した旋回腕３１の回動に伴い、丸棒３６ａがシャッタ１３の下端と接触しなくなるまで内側に引込まれ、シャッタ１３は自重でガイド部材１４，１４沿いに降下して背面の開口を閉じる。このようにして、檻本体１０の中に多数羽の鴉を生け捕りすることができる。
【００３８】
第１実施形態の動物捕獲檻では旋回腕の軸受筒３２と、この軸受筒３２を被った縦軸２１とに直径方向の貫通孔４１を開設し、この貫通孔４１にピン４２を挿通し、貫通孔４１とピン４２で着脱手段４０を構成したので、檻本体の中に入った動物が格子２４によって回転ドア２０と一体に旋回腕３１をどれだけ回したときに、該旋回腕３１の端部が押止部材５０から離れるかによって、スライド扉６５がスライド移動を開始するタイミングが定まる。また、旋回腕３１をどれだけ回すことによって、ストッパ腕３３の丸棒３６ａがシャッタ１３の下端と接触しなくなるまで内側に引込めるかで、シャッタ１３が降下して背面の開口を閉じるタイミングが定まる。
【００３９】
即ち、第１実施形態の動物捕獲檻では、旋回腕３１の先端部が押止部材５０を押圧できる領域、即ち、蝶着部材５１の横幅によって、旋回腕３１の回動に基づくスライド扉６５のスライド移動を開始するタイミングが定まる。例えば、押止部材５０若しくは蝶着部材５１の横幅が大きければ、旋回腕３１を大きく回さないと旋回腕３１の先端部を押止部材５０及び蝶着部材５１から完全に離すことができない。一方、背面の開口からの丸棒３６ａの突出量の長短によって、旋回腕３１の回動に基づくシャッタ１３の降下するタイミングが定まる。例えば、丸棒３６ａの突出量が長ければ、旋回腕３１を大きく回さないと、丸棒３６ａがシャッタ１３の下端と接触しなくなるまで内側に引き込ませられない。
【００４０】
従って、押止部材５０又は蝶着部材５１の横幅を適宜の大きさに加減できるようにし、或いは適宜の大きさに交換可能なものとすることにより、スライド扉６５のスライド移動が開始するタイミングを調整することが好ましい。
【００４１】
一方、旋回腕３１の先端部が押止部材５０及び蝶着部材５１から離れた際に、丸棒３６ａがシャッタ１３の下端と接触しなくなるまで内側に引き込まれるように構成する必要があり、上記スライド扉６５のスライド移動が開始されるのとほぼ同時にシャッタ１３も確実に降下するように制御することが好ましい。そこで、図４に示すように、丸棒３６ａを先端に有するストッパ３６が第２腕３５に設けられた筒部３５ａに出入可能に挿入されるように構成し、筒部３５ａに横からねじ込んだボルト３５ｂでストッパ３６の全体の長さを調節及び固定し、丸棒３６ａの背面の開口からの突出量を入れ子式に調節することができる。
【００４２】
例えば、複数の鴉を捕獲する場合、押止部材５０の横幅を大きくするとともに、丸棒３６ａの突出量を長くすることにより回転ドアの回動にゆとりを持たせる。そして、複数の鴉によって回転ドアが大きく回されたときに、スライド扉６５が上壁１７に形成された上面の開口部６０を閉鎖するとともにシャッタ１３が降下して背面の開口を閉鎖するので、複数の鴉を捕らえることができる。
【００４３】
［第２実施形態］
以下、図面を参照しつつ、本発明の第２実施形態について説明する。
図７に示す第２実施形態の動物捕獲檻も、上記第１実施形態の動物捕獲檻と同様に、上壁１７の前側に開口部６０を設けた略角筒形状の檻本体１０から構成されている。また、該檻本体１０は、前壁１８、該前壁１８に対向する背面（後壁１３’）、左右の側壁１９、１９及び底壁１６の各壁が、いずれも太い金属角材、例えばアングル材からなる外枠１１と、該外枠１１の内部に縦横に溶接などで固定されて四角な網目を構成する縦横の細い金属角材の格子１２とから構成されている。但し、左右の側壁１９、１９の前壁１８側に相対向してガイド部材１４，１４が設けられており、作業者は前壁１８を手動或いはジャッキ等の機器を用いて垂直方向に持ち上げることができる。
【００４４】
また、第２実施形態の動物捕獲檻は、第１実施形態と同様に、檻本体１０において、スライド扉６５が左右のレール部材６１、６１上に取り付けられており、前記スライド扉６５は、開口部６０の開口時に、水平にスライド移動して該開口部６０を塞ぐ方向に付勢されている（図７参照）。
【００４５】
また、縦軸２１側の開口部６０の縁端において、檻本体１０の上壁１７の中心線上の位置に蝶着部材５１が蝶着されており、該蝶着部材５１には押止部材５０が設けられている。旋回腕３１の端部が、押止部材５０及び蝶着部材５１を介して圧縮ばね６３による付勢力を押止することにより、スライド扉６５の開扉状態が維持されている。
【００４６】
第２実施形態の動物捕獲檻は、第１実施形態と同様の要領で、獣道などに仕掛けることができる。すなわち、第２実施形態の檻本体１０を地上に置き、上述したようにピン４２を軸受筒３２と縦軸２１とに空けた直径方向の貫通孔４１に挿通して旋回腕３１を前後方向に向ける。次いで、図７に示すように、蝶着部材５１を介して、旋回腕３１の先端部を押止部材５０の下側に当接させるとともに、該押止部材５０の上側でスライド扉６５の先端部分を係止させれば良い。このように檻本体１０の開口部６０のみを開いた状態にした後、檻本体１０の中には捕獲対象の動物が好む餌を入れる。
【００４７】
そして、檻本体１０の内側に設けられた旋回腕３１が回動されることによって、スライド扉６５は開口部６０を閉鎖し、捕獲対象の動物が生け捕りにされる。
【図面の簡単な説明】
【００４８】
【図１】本発明の第１実施形態に係る動物捕獲檻の概略斜視図である。
【図２】図１に示す動物捕獲檻の拡大背面図である。
【図３】図１に示す動物捕獲檻の拡大平面図である。
【図４】図１に示す動物捕獲檻において、檻本体の開口された背面を塞ぐシャッタを支持するストッパ腕、キャスタ及び案内溝付き車輪を説明する要部の拡大斜視図である。
【図５】図１に示す動物捕獲檻において使用される着脱手段４０の拡大断面図である。
【図６】図１に示す動物捕獲檻において、開口部が開いた状態からスライド扉が開口部の閉鎖を開始する状態を示す要部の拡大断面図である。
【図７】本発明の第２の実施形態を示す概略斜視図である。
【符号の説明】
【００４９】
１０    檻本体
１１    外枠
１３    シャッタ
１３’  後壁
１４    シャッタのガイド部材
１５    シャッタの上部ガイド部材
１６    底壁
１７    上壁
１８    前壁
１９    側壁
２０    回転ドア
２１    縦軸
２２    盲筒
２３    支持筒
２４    格子
３１    旋回腕
３２    軸受筒
３３    ストッパ腕
４０    着脱手段
４１    貫通孔
４２    ピン
５０    押止部材
５１    蝶着部材
６０    上面の開口部
６１    レール部材
６３    圧縮ばね
６５    スライド扉
【図１】
2007049904.tif 000003
【図２】
2007049904.tif 000004
【図３】
2007049904.tif 000005
【図４】
2007049904.tif 000006
【図５】
2007049904.tif 000007
【図６】
2007049904.tif 000008
【図７】
2007049904.tif 000009